(57)【要約】      （修正有）【課題】  ナースサンダルに対しての改良希望点の多数意見の上位３件は、蒸れる、疲れる、汚れる、であり、他にすべる、胼胝，が出来る等の、少数意見があった。この諸意見を解決して欠点の無いナースサンダルを医療現場に提供する。【解決手段】通気性のよく蒸れない、高い体圧分散効果、を有し、疲れない、且つ汚れない、ポリ糸混紡の立体編み織布を、足裏接触部分に採用することにより、欠点を、改良した。【選択図】  図１
2006289021.tif 000002
【特許請求の範囲】
【請求項１】
底層と、表皮でつつまれた芯層で、形成する、台座部材に、足甲部分・足先部分及び踵部分・を止めるバンドを装着してなるサンダル、で人体足裏が接触する中底部分に、復原力が強く、強力な通気性、を保有する、ポリウレタン裸糸を主体とした混紡立体編み織布を、使用した蒸れない発汗防止ナースサンダル。
【請求項２】
底層と、表皮でつつまれた芯層で、形成する、台座部材に、足甲部分・足先部分及び踵部分・を止めるバンドを装着してなるサンダル、で人体足裏が接触する中底、部分に、多大な体圧分散効果を有するポリウレタン裸糸を主体とした混紡立体編み織布を使用したうっ血しない疲労防止ナースサンダル。
【請求項３】
底層と、表皮でつつまれた芯層で、形成する、台座部材に、足甲部分・足先部分及び踵部分・を止めるバンドを装着してなるサンダル、で人体足裏が接触する中底部分に強力な通気性を保有する、ポリウレタン裸糸を主体とした混紡立体編み織布を使用しているため常時乾燥状態で、ほこりがつきにくい、清潔な汚染防止ナースサンダル。
【請求項４】
底層と表皮でつつまれた芯層で、形成する、台座部材に、足甲部分・足先部分  及びかかと部分・を止めるバンドを装着してなるサンダル、で人体足裏が接触する中底  部分に、多大な体圧分散効果を有するポリウレタン裸糸を主体とした混紡立体編み織布を使用した足だこの出来にくいナースサンダル。
【請求項５】
底層と表皮でつつまれた芯層で、形成する、台座部材に、足甲部分・足先部分  及びかかと部分・を止めるバンドを装着してなるサンダル、で人体足裏が接触する中底部分に、ポリウレタン裸糸を主体とした混紡立体編み織布の、織り目を縦目、横目及び、斜め裁断のバイヤス目を、任意に使用した、足裏全体の滑り防止効果のあるナースサンダル。
【請求項６】
請求項１、又は請求項２、    求項３、又は請求項４、又は請求項５のナースサンダル及びその製法
【請求項７】
ポリウレタン裸糸を主体とした混紡立体編み織布を中底部分・天板に使用したサンダル及びその製法。
【請求項８】
請求項１、又は請求項２、又は請求項３、又は請求項４、請求項５、のナースサンダルと、同一製品、同一製法で、主使用場所、及び名称呼称の違うオフィースサンダル及びその製法。
【発明の詳細な説明】
【技術分野】
【０００１】この発明は病院及び企業オフィースにおいて、需要のある屋内履きサンダルに関する。
［背景技術］【０００２】従来の技術］昭和３０年頃より企業化されたサンダル製造は、非常に歴史が浅く、第２次世界大戦終戦後、数百年の歴史を持ち、全国民に、利用親しまれて来た下駄、草履の進歩した庶民の履物、として研究開発が進み、終戦後国土復興に準じて、物資不足も徐々に解消され、化学製品の輸入、商社より輸出依頼による、海外のデザインの流入、資材の一般市場流通に伴い、製造方法の安易さから、靴に替わる、単なる屋外で庭掃除用の庭履きに又は、極く短距離の用事に使用する、程度の庶民の履物として主目的のない、万能履き、つっかけ、などと呼ばれて重宝がられ、安価のため日用消耗品扱いで用途は使用する消費者が、決める状態で推移して来た。サンダル製造の黎明期であったので、製造技術は神戸の靴メーカーに指導を依頼、試行錯誤しながら、それぞれ独自の経営理念に基づき、製品を発表して来て居るが、用途別に製造して居る訳でなく、当発明のナースマットは、数少ない、特殊な職業別製品部類、に入る。使用現場は病院と言う特殊な環境であり、完璧な温度管理、湿度管理下で汚染要素もない職場で活用されるナースサンダルも、技術的には、マヌファクチャー、家庭内手工業の域を脱していない、特に科学的分野での、分析研究開発の必要性を痛感、この発明は、その遅れ分野改革に着手するものである。病院対応のナースサンダルも、近年数社の、サンダルメーカーが、開発して市場に発表されているが、歴史が浅いため、ユーザー看護師の細部にわたる意見を製品に反映するところまで達していない。医療現場で、実際に毎日何Ｋｍも走り回り、絶対数不足のなかで、苛酷な労働を強いられている彼女達のナースサンダルに対する意見・希望を聞く。
［発明の開示］【０００３】規制が有り、デザイン選定・カラー選択の自由が彼女たちには無い。決められたシンプルなデザイン・シンプルなカラーの中から選択することになる
現在使用しているナースサンダルにたいしての、欠点・改良点を調べた。
蒸れる、疲れる、汚れる、に意見集中、以上の３欠点を改良した、ナースサンダルの研究開発を希望している。
［発明が解決しようとする課題］【０００４】この発明は、上記ニーズに基づき、蒸れる、疲れる、汚れる、の欠点各事項に対して、立体編み繊維、フュージョンを使用して欠点の無いナースサンダルを提供することを課題とする
［課題を解決するための手段］【０００５】発明理由その１、立体編み繊維のため織物内に９５％以上の空隙間が有り、空気の流通が良く、抜群の通気性を保有しているので、発汗症状は無く、日赤病院にて入院患者対象に、長期臨床実験結果で立証、したがって蒸れ対策は解消できる。【０００６】発明理由その２、同じくフュージョンを使用することで、体圧分散効果  が働き、足裏部位の、自体重による、血管圧迫を、緩和して血流を妨げないので、疲れにくい。
【発明の効果】
【０００７】発明理由その３、同じくフュージョンを使用することで、抜群の通気性により発汗作用無く湿度も低いので、乾燥した埃が付着しても汚れとならない。
以上の結果により医療現場で働く多数の看護師ナースの希望による理想的ナースサンダルの提供が、可能となる。
【０００８】他に少数意見として、滑る、、脱げる、等の意見もあるが、ナースサンダルは足先部分と、甲部分と  踵部分を、固定した状態で履いて、使用するので該当する状態にはならず、踵部分固定の無いサンダル、スリッパを利用した時発生する欠点である。
ナースサンダルを利用する看護師の体圧測定表
［発明を実施するための最良の形態］
【０００９】この発明の実施形態を  図面１、を参照に説明する。ナースサンダルは．２．３．４．５．８．からなる芯層＋底層と、１．６．７．９．からなる足先固定帯、甲固定帯、踵固定帯、各帯連結用止め金．からなる天板＋各帯の、表皮層部分の結合により．形成されている。従来のナースサンダルは、足裏部接触部分図面番号１．の天板に、通気性の無い、基布の表面に、公知の方法で、塩化ビニール又は樹脂を、コーティングした素材を使用していた為、好発汗条件となり、人体頭部に次ぐ高多汗部位の、足裏は汗による高湿度と体温で、  非衛生状態が、ナースサンダル使用中継続し、細菌発生、憂臭不快の経験を、高温多湿の土地に住む、我が日本国民、老若男女のほとんどが、大なり小なり体験している事実がある。この発明はその欠点のすべてを改良する考案である。
［発明の効果］
【００１０】解決の問題点は図１の符号１．の部分無通気性天板素材使用であり、反発力の強い、通気性の良い、  耐久性のある、立体編みの織布で、且つ汚れない織物、を発見、通気性のみならず、体圧分散効果を有し血管圧迫極少で疲れにくい相乗効果のあるポリ裸糸を混紡した旭化成のフュージョンが、最適と結論を出した。
【００１１】ナースサンダルの形成上、重要部分である底層と芯層、図面番号２．３．４．５．８．底層５．はゴム硬度５５〜６０のエチレン酢酸ビニル共重合体を主体とするスポンジの  シートを打ち抜いたクッション弾力のある素材を使用、芯層２．は足裏の形状に短時間で、フィットして疲れない事由により（実用新案取得）第３０９７５１７号を採用。
【００１２】医療機関データ（立体編みフュージョン効果使用臨床実験結果）参考資料１〜５）
（体圧測定表）使用測定器モルテン社製  プレディア／品番ＭＥＡ
2006289021.tif 000003
［３Ｄナースサンダル使用資材数値］
【００１３】（図１の記号参照）
１ポリ系混紡立体編み織布旭化成フュージョン
２低反発ウレタンクッション発泡倍率１．４〜１．６エチレン酢酸ビニル共重合体
３芯層ヒール形成材  ４芯層圧縮ボール紙  ５底材ゴム硬度４０プラマイ５発泡倍率１．７〜１．９エチレン酢酸ビニル共重合体
６足先部甲部バンド  ７踵部バンド  ８底材踵部摩耗補強合成ゴム  ９バンド止め金甲部と踵部分バンド連結具
［産業上の利用可能性］
【００１４】この発明の利用者は特殊な職業の医療機関に従事する看護師であり過酷な労働でナースサンダルの消費も一般消費者の３ヶ月に１足消費の約２倍である年間７足から８足を消費する為医療関係に従事する数百万人の需要に対応する事になり目標は世界の看護師を対象としている
「３Ｄナースサンダル使用資材数値］
【００１５】（図面の記号参照）
（使用資材数値説明）
１ポリ糸混紡立体編み織布旭化成フュージョン
２低反発ウレタンクッション発泡倍率１．４〜１．６エチレン酢酸ビニル共重合体
３芯層ヒール形成材
４芯層圧縮ボール紙
５底材ゴム硬度４０プラマイ５発泡倍率１．７〜１．９エチレン酢酸ビニル共重合体
６足先部甲部バンド
踵部バンド
７底材踵部摩耗補強合成ゴム
８バンド止め金甲部と踵部分バンド連結具
【図面の簡単な説明】
【００１６】［図１］立体編みフュージョン使用の３Ｄナースサンダルの斜視図
【符号の説明】
【００１７】１  立体編フュージョン
２  低反発ウレタンクッション
３  ヒール形成材
４  圧縮ボール紙
５  底材ＡＶＥ
６  足先，甲部踵部固定バンド
７  踵部摩耗補強合成成ゴム
８  固定用金具（脚部）
【図１】
2006289021.tif 000004
【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
医療界の、医療現場事故防止重視改良施策中、改良急務の従来より使用しているナースサンダルを、注射針落下傷害事故及び不良血液落下傷害事故を防ぎ皮膚保護の為に、足甲部分と足先部分を覆包する甲皮形状に改良（シューズ分野）と駆使されるナースプトン（ナース履き）絶対条件の蒸れ防止、疲労負担軽減、（サンダル分野）を解消する、強力な通気性、高い体圧分散効果保有のポリ裸糸混紡立体編み織布を甲皮部分とサイド部分及び中底部分に使用、踵部分を結合縫製し、成型底層台座に接着形成（サンダル分野）してなるナースプトン（シューズサンダル）及びその製法
【請求項２】
年間を通して適温少湿状況で、土砂埃り皆無の、病院環境下において使用する、成型底層と一体の台座部材に、注射針落下傷害事故防止、及び不良血液落下傷害事故防止、皮膚保護の為の、足甲部分と足先部分を覆包する甲皮部分と、強力な通気性を保有するポリ裸糸混紡の立体編み織布を使用したサイド部分と、同材質使用の中底と、踵部分を、縫製して接着形成した蒸れない発汗防止目的のナースプトン（シューズサンダル）
【請求項３】
年間を通して適温少湿状況で、土砂埃り皆無の、病院環境下において使用する、成型底層と一体の台座部材に、注射針落下傷害事故防止、及び不良血液落下傷害事故防止、皮膚保護の為の、足甲部分と足先部分を覆包する甲皮部分と、強力な通気性を保有するポリ裸糸混紡の立体編み織布を使用したサイド部分と、踵部分と、優れた体圧分散効果を持つポリ裸糸混紡立体編み織布クッション使用の中底を縫製して接着形成したうっ血しない疲労防止目的のナースプトン（シューズサンダル）
【請求項４】
年間を通して適温少湿状況で、土砂埃り皆無の、病院環境下において使用する、成型底層と一体の台座部材に、注射針落下傷害事故防止、及び不良血液落下傷害事故防止、皮膚保護の為の、足甲部分と足先部分を覆包する甲皮部分と、強力な通気性を保有するポリ裸糸混紡の立体編み織布をサイド部分と、中底に使用して、踵部分を縫製し接着形成した防汗作用と低湿度の無埃り環境下で汚れにくい汚れ防止目的のナースプトン（シューズサンダル）
【請求項５】
年間を通して適温少湿状況で、土砂埃り皆無の、病院環境下において使用する、成型底層と一体の台座部材に、注射針落下傷害事故防止、及び不良血液落下傷害事故防止、皮膚保護の為の、足甲部分と足先部分を覆包する甲皮部分と強力な通気性を保有し、且つ優れた体圧分散効果で足裏に対してポリ裸糸混紡の立体編み織布クッションを中底に使用、踵部分を縫製して接着形成した、足指部緩型外反母趾発症防止、及び胼胝発症防止目的のナースプトン（シューズサンダル）
【請求項６】
請求項１、又は請求項２、又は請求項３、又は請求項４、又は請求項５のナースプトン（シューズサンダル）及びその製法
【請求項７】
ポリ裸糸混紡の立体編み織布を通気性及びクッション目的で使用するプトン（シューズサンダル）及びその製法